(57)【特許請求の範囲】
【請求項１】
魚釣りに用いる中通し竿であって、
内部に釣糸通路を有する竿体と、
前記竿体の穂先側端部に周方向に回動自在に取り付けられ、内部に前記竿体の釣糸通路に連通する糸導出通路を有し、側面上に外界と前記糸導出通路とを連通する貫通孔を有する筒状の回転体と、
前記回転体の貫通孔付近に設けられた錘と
を備えた中通し竿。
【請求項２】
前記回転体の穂先側端部の前記釣糸導出通路縁部にはめ込まれた硬質釣糸案内部材をさらに備えた、請求項１に記載の中通し竿。
【請求項３】
前記竿体は、穂先側端部に他の部分より肉厚かつ大径の大径部が形成され、かつ前記大径部内周面には内周面を切削した切削部が形成され、前記竿体の切削部に穂先側からはめ込まれたパイプ材を有しており、
前記回転体は、前記パイプ材に周方向に回転自在に連結されている、請求項１または２に記載の中通し竿。
【発明の詳細な説明】
【０００１】
【発明の属する技術分野】
本発明は、内部に釣糸が挿通可能な釣糸通路を有する中通し竿に関する。
【０００２】
【従来の技術】
従来の例えば中通し竿は、内部に釣糸が挿通可能な釣糸通路を有する元竿と、元竿の穂先側に連結され元竿同様に内部に釣糸通路を有する中竿と、中竿の穂先側に連結され釣糸通路を有する穂先竿とを有している。元竿には、リールを取り付け可能なリールシートが形成され、リールシートの穂先側にはリールからの釣糸を竿体内部の釣糸通路に導入するための釣糸導入口が形成されている。また、穂先竿の穂先側端部にはトップガイドが設けられている。
【０００３】
このトップガイドは、例えば、穂先竿の穂先側端部外周面に接着剤等で取り付けられた雄ねじ部材に脱着自在に螺合した筒状の本体部と、本体部の穂先側端部内にはめ込まれたセラミックリングを有している。そして、リールからの釣糸は釣糸導入口から竿体内部へ導かれて穂先側のトップガイドへ至り、トップガイドの本体部内を挿通してセラミックリングに支持されながら外部へ導出される。
【０００４】
【発明が解決しようとする課題】
釣りをおこなう際に釣糸に付着した水は、釣糸の巻き上げと共に中通し竿内に侵入し中通し竿内に溜まることになる。特にこの水が溜まりやすいのは穂先側端部のトップガイドの内部である。そこで、従来のトップガイドには本体部側面に外界と連通する排水孔を形成したものがある。しかし、従来のトップガイドではトップガイド内に溜まる水を上手く排水できない場合がある。
【０００５】
本発明の課題は、トップガイド内に溜まる水を適切に排水可能な中通し竿を提供することにある。
【０００６】
【課題を解決するための手段】
発明１に係る中通し竿は、魚釣りに用いる中通し竿であって、内部に釣糸通路を有する竿体と、竿体の穂先側端部に周方向に回動自在に取り付けられ、内部に竿体の釣糸通路に連通する糸導出通路を有し、側面上に外界と糸導出通路とを連通する貫通孔を有する筒状の回転体と、回転体の貫通孔付近に設けられた錘とを備えている。
【０００７】
この中通し竿では、釣糸は竿体内部の釣糸通路から回転体の糸導出通路を経て外部に導出される。そして、魚釣りをおこなう際に竿体が周方向に回転すると、回転体も竿体に対して相対的に周方向に回転する。この回転体は側面に形成された貫通孔付近に錘が配置されているので、貫通孔付近が重力方向に向くように竿体に対して相対回転する。この結果、釣糸の巻き上げ時に釣糸と共に水が回転体の糸導出通路内に溜まっても、溜まった水は貫通孔から効率的に排水される。
【０００８】
発明２に係る中通し竿は、発明１の中通し竿であって、回転体の穂先側端部の釣糸導出通路縁部にはめ込まれた硬質釣糸案内部材をさらに備えている。
この場合には、硬質釣糸案内部材が回転体内の糸導出通路を挿通する釣糸を支持し、回転体の糸導出通路内面を保護すると共に釣糸の導出抵抗を低減する。
発明３に係る中通し竿は、発明１または２の中通し竿であって、竿体は、穂先側端部に他の部分より肉厚かつ大径の大径部が形成され、かつ大径部内周面には内周面を切削した切削部が形成され、竿体の切削部に穂先側からはめ込まれたパイプ材を有している。そして、回転体はパイプ材に周方向に回転自在に連結されている。
【０００９】
この場合には、パイプ材が竿体の内周面の切削部に挿入され固定されており、竿体外周面上に他部材を固定する場合の様に竿体外周面に段差が生じない。竿体外周面にその外径が異なる段差があるとこの段差部分に釣糸が絡みつき糸絡みのトラブルを発生しかねないが、この中通し竿では糸絡みの発生を抑えられる。
【００１０】
【発明の実施の形態】
［第１実施形態］
以下、本発明の第１実施形態について図面を参照しつつ説明する。
本発明の第１実施形態を採用した中通し竿は、図１に示すように、内部に釣糸が挿通可能な釣糸通路１００（図３参照）を有する元竿１と、元竿１の穂先側に順次振出形式で連結される元上竿２，中竿３、穂先竿４とを有している。元竿１にはリール７を脱着自在に装着可能なリールシート８が設けられており、このリールシート８の穂先側周面上にはリール７からの釣糸Ｌを釣糸通路内に導入するための釣糸導入口９が形成されている。また、釣糸導入口９上には釣糸Ｌを釣糸導入口９へ導く釣糸導入ガイドＧが配置される。さらに、穂先竿４穂先側端部にはトップガイド６が取り付けられている。そして、リール７からの釣糸Ｌは釣糸導入ガイドＧ，釣糸導入口９から元竿１内部の釣糸通路に導入され、順次穂先側へ導かれてトップガイド６から外部に導出される。
【００１１】
各竿体１〜４は、それぞれ炭素繊維やガラス繊維などの強化繊維に樹脂を含浸させたプリプレグをマンドレルに巻回し焼成して得られた先細り筒状部材である。穂先側に配置される竿体ほど小径で順次竿元側に配置される竿体内に挿入可能である。また、それぞれの竿体の外周面上には撥水性，耐候性の塗材が塗布されており、商品イメージに応じて様々な模様が施されている。
【００１２】
図３に示すように、穂先竿４は穂先側端部に他の部分より肉厚かつ大径に形成された大径部４ａが形成されている。そして、大径部４ａ内周面は穂先側端部竿元側に向かって削られ内径が他の部分より大きく形成された切削部４ｂとなっている。この切削部４ｂにはリング状のワッシャー２２が配置されると共に、竿元側が開口した蓋付き円筒型のパイプ材２１が穂先側から挿入され固定される。パイプ材２１の穂先側端面には孔が形成されており、この孔から穂先側に突出しつつ回転自在なように内部に後述の回転体１０が配置される。
【００１３】
図２及び図３に示すように、トップガイド６は、内部に糸導出通路１１０を有する筒状の回転体１０と、回転体１０内に配置される第１〜第３セラミックリング１１〜１３と、回転体１０の側面上に形成され糸導出通路１１０と外界とを連通する排水孔１５と、回転体１０内の排水孔１５周縁に配置された錘１４とを有している。
【００１４】
回転体１０は穂先竿４の穂先側に取り付けられたパイプ材２１の内部に配置された小径部分１０ｂと、パイプ材２１の孔から穂先側に突出し穂先側ほど拡径する拡径部分１０ａとを有する。小径部分１０ｂと拡径部分１０ａとの間にはパイプ材２１の孔に係止される首部が存在し、回転体１０はパイプ材２１に対して周方向に相対回転可能に連結されている。なお、必要に応じて、小径部分１０ｂ外周面にワックス等を塗布してもよい。また、回転体１０内の糸導出通路１１０は穂先竿４の釣糸通路１００に連通している。
【００１５】
第１〜第３セラミックリング１１〜１３は、硬質セラミックからなるリング状部材であり、それぞれ、回転体１０の穂先側端部内縁，拡径部分１０ａの竿元側付近，小径部分１０ｂの竿元側端部の糸導出通路１１０に接着剤等で固定されている。
排水孔１５は回転体１０の拡径部分１０ａ側面上に形成されている。排水孔１５は単独で形成されても、比較的小径の排水孔を複数形成してもよい。そして、排水孔１５付近の回転体１０内部には錘１４が取り付けられている。錘１４は、例えば、鉛，鉄等からなるリング状のものを排水孔１４周縁に配置し、または回転体１０に埋め込んでもよい。
【００１６】
このように構成された中通し竿では、釣糸Ｌは各竿体の釣糸通路１００からトップガイド６の糸導出通路１１０を経て外部に導出される。そして、魚釣りをおこなう際に各竿体１〜４が周方向に回転すると、回転体１０は小径部分１０ｂがパイプ材２１内で周方向に回転し、穂先竿４に対して相対的に周方向に回転する。この回転体１０は拡径部分１０ａ側面に形成された排水孔１５付近に錘１４が配置されており、排水孔１５付近が重力方向に向くように穂先竿４に対して相対回転する。この結果、釣糸Ｌの巻き上げ時に釣糸Ｌと共に水が回転体１０内の糸導出通路１１０内に溜まっても、溜まった水は常に重力方向に向いている排水孔１５から効率的に排水される。
【００１７】
さらに、パイプ材２１が穂先竿４の内周面の切削部４ｂに挿入され固定されており、穂先竿４の外周面にトップガイド６を取り付けるための他部材を固定する必要がなく、穂先竿４外周面上に段差（部分的外径差）が発生しない。また、パイプ材２１の最大外径も穂先竿４の穂先側端部外径に合致させており、穂先竿４からトップガイド６の穂先側端部外径にかけて外径が段差なく連続的に形成されている。この結果、この中通し竿ではトップガイド６付近の糸絡みの発生を十分に防止できる。
【００１８】
［他の実施形態］
（ａ）セラミックガイドは任意数配置すれば足りる。また、セラミックではなく金属部材を用いてもよい。
（ｂ）回転体の形状は上記実施形態に限定されるものではない。
【００１９】
【発明の効果】
本発明によれば、トップガイド内に溜まった水を容易に排水できる。
【図面の簡単な説明】
【図１】本発明の一実施形態を採用した釣竿の全体図。
【図２】図１のトップガイドの拡大図。
【図３】図１のトップガイド付近の断面図。
【符号の説明】
１  元竿
４  穂先竿
６  トップガイド
１０  回転体
１１〜１３  第１〜第３セラミックリング
１４  錘
１５  排水孔
２１  パイプ部材
【図１】
0004141071.tif 000002
【図２】
0004141071.tif 000003
【図３】
0004141071.tif 000004